(57)【要約】      （修正有）【課題】指針に入射する光の量を調節することによって、指針の輝度ムラを防ぐことが可能な指針式計器を提供する。【解決手段】光源３が配置された回路基板５と、回路基板５の裏面側に装着され回路基板５を貫通して前方側に延びる駆動軸４１を有する駆動本体４と、指針本体１１と駆動軸４１に装着される基部とを備え、駆動軸４１の回転によって回転する指針１と、指針１の裏面側に配置され駆動軸４１に対応する貫通孔２２が形成された表示板２と、を備えた指針式計器において、光源３は駆動軸４１の近傍に配置され、貫通孔２２の一部が非円弧形状である。【選択図】図２
2015049054.tif 000002
【特許請求の範囲】
【請求項１】
光源が配置された回路基板と、前記回路基板の裏面側に装着され前記回路基板を貫通して前方側に延びる駆動軸を有する駆動本体と、指針本体と前記駆動軸に装着される基部とを備え、前記駆動軸の回転によって回転する指針と、前記指針の裏面側に配置され前記駆動軸に対応した貫通孔が形成された表示板と、を備えた指針式計器において、前記光源は前記駆動軸の近傍に配置され、前記貫通孔の一部が非円弧形状であることを特徴とする指針式計器。
【発明の詳細な説明】
【技術分野】
【０００１】
本発明は、光源から出射された光で指針を照明する指針式計器に関するものである。
【背景技術】
【０００２】
従来、表示板上で回動する指針を光透過性の部材から形成し、表示板の背後に光源を配置し、この光源からの照明光を表示板の貫通孔を通じて指針に供給し、指針自体を光輝させる指針式計器が知られている。また、このような指針式計器は、貫通孔に遮光カラーを配置することによって、光源の光が表示板上に漏れることや指針内部に入射する光を調整するものである。
【先行技術文献】
【特許文献】
【０００３】
【特許文献１】特開２０１３−４４６２１号公報
【発明の概要】
【発明が解決しようとする課題】
【０００４】
しかしながら、特許文献１に係る指針式計器の構成では、光源が駆動軸に近づくように配置した場合、遮光カラーの隙間から貫通孔を通過して指針基部内に入射する輝度が高すぎるため、指針の所望しない箇所が光り過ぎてしまうという問題点があった。
【０００５】
本発明は、上記実状に鑑みてなされたものであり、指針に入射する光の量を調節することによって、指針の輝度ムラを防ぐことが可能な指針式計器を提供することを特徴とする。
【課題を解決するための手段】
【０００６】
本発明に係る指針式計器は、光源が配置された回路基板と、前記回路基板の裏面側に装着され前記回路基板を貫通して前方側に延びる駆動軸を有する駆動本体と、指針本体と前記駆動軸に装着される基部とを備え、前記駆動軸の回転によって回転する指針と、前記指針の裏面側に配置され前記駆動軸に対応した貫通孔が形成された表示板と、を備えた指針式計器において、前記光源は前記駆動軸の近傍に配置され、前記貫通孔の一部が非円弧形状である。
【発明の効果】
【０００７】
本発明によれば、指針に入射する光の量を調節することによって、指針の輝度ムラを防ぐことが可能な指針式計器を提供することができる。
【図面の簡単な説明】
【０００８】
【図１】本発明の第１実施形態に係る指針式計器の正面図。
【図２】図１に示す指針式計器の断面図。
【図３】図１に示す表示板の正面図。
【発明を実施するための形態】
【０００９】
本発明の一実施形態に係る指針式計器を、図面を参照して説明する。
【００１０】
指針式計器は、指針１と、表示板２と、光源３と、駆動本体４と、回路基板５と、中ケース６と、裏カバー７と、前面カバー８とから主に構成されている。
【００１１】
指針１は、ポリカーボネートやアクリル合成樹脂からなり、裏面にホットスタンプ層が形成された透光性の指針本体１０と、指針本体と一体成形された基部１１と、この指針本体１０の回動中心領域の前方及びその周囲を覆って背後が開口する、黒色系の遮光性合成樹脂からなる遮光性部材であるキャップ形の遮光性カバー１２とからなる。基部１１には、光源３の光を基部内に入光させる受光部１１ａが形成されている。
【００１２】
表示板２は、例えば、透光性合成樹脂板にスクリーン印刷を施してなるもので、光源３によって透過照明される指標部２１と、後述する駆動軸が貫通される貫通孔２２とを有している。表示板２はケース６によって回路基板５上に支持されている。
【００１３】
貫通孔２２は、光源３が実装された位置の真上にある部分は半円（円弧形状）であって、この円弧形状の駆動軸中心点と対向した部分は非円弧形状（Ｖ字状など）となっている。
【００１４】
光源３は、回路基板５上（観察者側）であって指針１の回動領域に実装される、例えばトップビュータイプの発光ダイオードであり白色に発光する。本実施形態においては、同一の光源によって指標部２１と指針１とが照明される。
【００１５】
駆動本体４は、例えばステッピングモーターを適用でき、駆動軸４１を有し、この駆動軸４１が指針１の基部と連結される。また駆動本体４は、その本体部が回路基板２の背面側に位置し、駆動軸４１が回路基板２を貫通して前方側に延びている。
【００１６】
回路基板５は、例えばガラスエポシキ樹脂からなる周知の硬質回路基板であり、光源３と駆動本体４に電力供給を行う図示しない回路パターンを有する。
【００１７】
中ケース６は、例えば白色の合成樹脂からなり、光源３の光を指標部２１方向に反射させる第１の反射部６１と、指針１基部方向に反射させる第２の反射部とを有し、回路基板２の観察者側に配置されている。
【００１８】
裏カバー７は、例えばポリプロピレン等、無着色の合成樹脂からなり、回路基板５の裏側（観察者側とは反対側）を覆うように配置される。
【００１９】
前面カバー８は、例えば、透過部材からなり、表示板２及び指針１を覆っている。前面カバー８の中央部分には、開口窓が設けられ、表示板２が透視可能なように、前面ガラスが嵌め込まれている。
【００２０】
光源３の光は、第２の反射部によって形成される空間Ｓ内で乱反射し、基部１１の受光部１１ａから指針本体１０に入光する。指針本体１０に入光した光は、基部１１ａに形成された第３の反射部１１ｂによってさらに乱反射し、指針本体の前方及び後方に導光される。
【００２１】
本発明によれば、光源３が配置された回路基板５と、回路基板５の裏面側に装着され回路基板５を貫通して前方側に延びる駆動軸４１を有する駆動本体４と、指針本体１１と駆動軸４１に装着される基部とを備え、駆動軸４１の回転によって回転する指針１と、指針１の裏面側に配置され駆動軸４１に対応した貫通孔２２が形成された表示板２と、を備えた指針式計器において、光源３は駆動軸４１の近傍に配置され、貫通孔２２の一部が非円弧形状であり、駆動軸４１を挟んで光源３と対向した貫通孔２２箇所を非円弧形状としたことによって、光源３から直接受光部１１ａに入射する光や、第２の反射部６２によって乱反射される光の入射を抑えられるため、指針本体１０の先端に向かう輝度は落とさずに、指針本体の輝度ムラを調整することが可能となる。
【００２２】
本実施形態の場合、Ｖ字状の非円弧形状の例を説明したが、これに限定されるものではなく、指針本体１０の輝度ムラに応じて貫通孔２２の形状を変更することができ、例えば四角形や台形などの多角形状であってもよい。
【符号の説明】
【００２３】
１      指針
２      表示板
３      光源
４      駆動本体
５      回路基板
６      中ケース
７      裏カバー
８      前面カバー
１０    指針本体
１１    基部
１１ａ  受光部
１１ｂ  第３の反射部
１２    遮光性カバー
２１    指標部
２２    貫通孔
４１    駆動軸
８１    前面ガラス
Ｓ      空間
【図１】
2015049054.tif 000003
【図２】
2015049054.tif 000004
【図３】
2015049054.tif 000005